(57)【要約】【課題】本発明は、用紙に付与されているＩＣタグの用紙情報を利用して、画像データに適切な用紙への画像形成を行う画像形成装置に関する。【解決手段】画像形成装置１は、印刷要求に応じて画像データに基づいて用紙に画像を形成する際に、印刷対象の用紙に付与されているＩＣタグの用紙情報をＩＣタグ情報読取部５で読み取って、当該用紙情報と当該印刷要求の内容とに基づいて画像形成可否判断部９で画像形成の可否を判断し、当該用紙への当該印刷要求による画像を形成するか否かを制御する。したがって、用紙に対してより一層適切な画像形成を行って、無駄な画像形成を防止し、紙資源を節約しつつ画像品質をより一層向上させることができる。【選択図】          図１
2006248056.tif 000002
【特許請求の範囲】
【請求項１】
印刷要求に応じて画像データに基づいて用紙に画像を形成する画像形成装置において、前記用紙が当該用紙に関する各種用紙情報の記録されているＩＣタグが付与されており、前記印刷要求に応じて前記画像データに基づいて前記用紙に画像を形成する際に、印刷対象の前記用紙に付与されている前記ＩＣタグの用紙情報を読み取って、当該用紙情報と当該印刷要求の内容とに基づいて当該用紙への当該印刷要求による画像を形成するか否かを制御することを特徴とする画像形成装置。
【請求項２】
前記画像形成装置は、前記ＩＣタグの用紙情報に、後処理としてのパンチ処理を禁止する情報が記録されていると、前記印刷要求でパンチ処理が指定されている場合には、当該用紙へのパンチ処理を指定する印刷要求による画像の形成を中止することを特徴とする請求項１記載の画像形成装置。
【請求項３】
前記画像形成装置は、前記ＩＣタグの用紙情報に、後処理としてのステープル処理を禁止する情報が記録されていると、前記印刷要求でステープル処理が指定されている場合には、当該用紙へのステープル処理を指定する印刷要求による画像の形成を中止することを特徴とする請求項１記載の画像形成装置。
【請求項４】
前記画像形成装置は、前記ＩＣタグの用紙情報に、当該用紙への画像の形成を許可する画像処理装置を指定する情報が記録されていると、当該用紙情報によって画像形成が許可されている画像形成装置に該当する場合にのみ、当該用紙に対して画像を形成することを特徴とする請求項１から請求項３のいずれかに記載の画像形成装置。
【請求項５】
前記画像形成装置は、前記ＩＣタグの用紙情報に、当該用紙への画像の形成を許可するユーザを指定する情報が記録されていると、当該用紙への画像形成を指示する前記印刷要求が当該用紙情報で許可されているユーザからの印刷要求である場合にのみ、当該用紙に対して画像を形成することを特徴とする請求項１から請求項４のいずれかに記載の記載の画像形成装置。
【請求項６】
前記画像形成装置は、前記ＩＣタグの用紙情報に、両面印刷を禁止する情報が記録されていると、前記印刷要求で両面印刷が指定されている場合には、当該用紙への両面印刷を指定する印刷要求による画像の形成を中止することを特徴とする請求項１から請求項５のいずれかに記載の画像形成装置。
【請求項７】
前記画像形成装置は、前記ＩＣタグの用紙情報に、カラー印刷を禁止する情報が記録されていると、前記印刷要求でカラー印刷が指定されている場合には、当該用紙へのカラー印刷を指定する印刷要求による画像の形成を中止することを特徴とする請求項１から請求項６のいずれかに記載の画像形成装置。
【請求項８】
前記画像形成装置は、前記ＩＣタグの用紙情報に、当該用紙の色が記録されていると、前記印刷要求でカラー印刷が指定されていて、当該印刷要求の画像データに当該用紙の色と類似する色が含まれていると、当該用紙への当該印刷要求による画像の形成を中止することを特徴とする請求項１から請求項６のいずれかに記載の画像形成装置。
【発明の詳細な説明】
【技術分野】
【０００１】
本発明は、画像形成装置に関し、詳細には、用紙に付与されているＩＣタグの用紙情報を利用して、用紙に適切な画像形成を行う画像形成装置に関する。
【背景技術】
【０００２】
プリンタ等の画像形成装置においては、一般的に、パーソナルコンピュータ等のホスト装置からの印刷要求に応じて印刷データに基づいて、当該印刷データのプリントアウトを行う。
【０００３】
このとき、パーソナルコンピュータ等のホスト装置では、プリンタドライバで設定された、用紙サイズ、用紙方向、両面／片面、給紙トレイ、用紙種類等の印刷設定が印刷データに付加され、画像形成装置は、この印刷設定に基づいた印刷を行う。
【０００４】
一方、画像形成装置は、従来から複数の給紙トレイを備えたものが普及しており、各給紙トレイに各種種別の用紙が収納され、少なくとも、用紙サイズを装置の制御部に出力する機能を備えている。
【０００５】
そして、従来、用紙にＩＣタグを画像形成ジョブ毎に付加し、再印刷時に、その情報を読み取って、ネットワークに接続されたサーバから該当する画像データを検索して再印刷する画像形成装置及び画像形成システムが提案されている（特許文献１参照）。
【０００６】
また、従来、印刷物に付与したＩＤ番号に関連付けて印刷コンテンツ・データと書き込みデータとを一元的に管理する印刷物管理システムが提案されている（特許文献２参照）。
【０００７】
さらに、従来、非接触型ＩＣタグを備えた記録シートに画像データに基づいて画像形成するとともに、当該ＩＣタグに当該画像データのユーザの情報を記録して排紙トレイに排出し、排紙トレイ上の記録シートを当該ＩＣタグで管理する画像形成装置が提案されている（特許文献３参照）。
【０００８】
また、従来、ＩＣタグリーダーにより原稿に埋め込まれたＩＣタグから、画像特定情報と当該画像特定情報により特定される画像データの属性情報を読み取り、自装置がモノクロの画像形成機能しかなく、特定された画像データがカラー画像である場合には、ファイルサーバから当該画像データをダウンロードしないか、ユーザの指示があるまでは画像形成を実行しない画像処理装置が提案されている（特許文献４参照）。
【０００９】
また、本出願人は、先に、トナーボトルにＩＣタグを装着し、トナーボトルの取扱履歴を管理するトナーボトルの管理方法を提案している（特許文献５参照）。
【００１０】
【特許文献１】特開２００４−３２２５７０号公報
【特許文献２】特開２００４−３０２６１７号公報
【特許文献３】特開２００４−２２３９６６号公報
【特許文献４】特開２００４−２２９１４０号公報
【特許文献５】特開２００２−６６９１号公報
【発明の開示】
【発明が解決しようとする課題】
【００１１】
しかしながら、上記従来技術にあっては、画像形成する用紙にとって適切な画像形成を行って、機密保持の向上、画像品質の向上等を図る上で、改良の必要があった。
【００１２】
すなわち、上記特許文献１から特許文献４記載の従来技術は、いずれも一旦ＩＣタグの付与されている用紙に画像形成した後に、当該ＩＣタグの情報に基づいて当該用紙や画像を管理するものであり、これから画像形成する際の画像形成管理とは異なり、より適切な用紙により適切な画像を形成する際の技術が要望されている。
【００１３】
また、特許文献５記載の従来技術は、消耗品としてのトナーボトルの管理をＩＣタグの情報に基づいて適切に行うものであり、画像形成する際の画像形成管理とは異なり、より適切な用紙により適切な画像を形成する際の技術が要望されている。
【００１４】
そこで、本発明は、用紙に対してより一層適切な画像形成を行って、無駄な画像形成を防止し、利用性が良好で紙資源を節約する画像形成装置を提供することを目的としている。
【課題を解決するための手段】
【００１５】
請求項１記載の発明の画像形成装置は、印刷要求に応じて画像データに基づいて用紙に画像を形成する画像形成装置において、前記用紙が当該用紙に関する各種用紙情報の記録されているＩＣタグが付与されており、前記印刷要求に応じて前記画像データに基づいて画像を形成する際に、印刷対象の前記用紙に付与されている前記ＩＣタグの用紙情報を読み取って、当該用紙情報と当該印刷要求の内容とに基づいて当該用紙への当該印刷要求による画像を形成するか否かを制御することにより、上記目的を達成している。
【００１６】
この場合、例えば、請求項２に記載するように、前記画像形成装置は、前記ＩＣタグの用紙情報に、後処理としてのパンチ処理を禁止する情報が記録されていると、前記印刷要求でパンチ処理が指定されている場合には、当該用紙へのパンチ処理を指定する印刷要求による画像の形成を中止するものであってもよい。
【００１７】
また、例えば、請求項３に記載するように、前記画像形成装置は、前記ＩＣタグの用紙情報に、後処理としてのステープル処理を禁止する情報が記録されていると、前記印刷要求でステープル処理が指定されている場合には、当該用紙へのステープル処理を指定する印刷要求による画像の形成を中止するものであってもよい。
【００１８】
さらに、例えば、請求項４に記載するように、前記画像形成装置は、前記ＩＣタグの用紙情報に、当該用紙への画像の形成を許可する画像処理装置を指定する情報が記録されていると、当該用紙情報によって画像形成が許可されている画像形成装置に該当する場合にのみ、当該用紙に対して画像を形成するものであってもよい。
【００１９】
また、例えば、請求項５に記載するように、前記画像形成装置は、前記ＩＣタグの用紙情報に、当該用紙への画像の形成を許可するユーザを指定する情報が記録されていると、当該用紙への画像形成を指示する前記印刷要求が当該用紙情報で許可されているユーザからの印刷要求である場合にのみ、当該用紙に対して画像を形成するものであってもよい。
【００２０】
さらに、例えば、請求項６に記載するように、前記画像形成装置は、前記ＩＣタグの用紙情報に、両面印刷を禁止する情報が記録されていると、前記印刷要求で両面印刷が指定されている場合には、当該用紙への両面印刷を指定する印刷要求による画像の形成を中止するものであってもよい。
【００２１】
また、例えば、請求項７に記載するように、前記画像形成装置は、前記ＩＣタグの用紙情報に、カラー印刷を禁止する情報が記録されていると、前記印刷要求でカラー印刷が指定されている場合には、当該用紙へのカラー印刷を指定する印刷要求による画像の形成を中止するものであってもよい。
【００２２】
さらに、例えば、請求項８に記載するように、前記画像形成装置は、前記ＩＣタグの用紙情報に、当該用紙の色が記録されていると、前記印刷要求でカラー印刷が指定されていて、当該印刷要求の画像データに当該用紙の色と類似する色が含まれていると、当該用紙への当該印刷要求による画像の形成を中止するものであってもよい。
【発明の効果】
【００２３】
本発明の画像形成装置によれば、印刷要求に応じて画像データに基づいて用紙に画像を形成する際に、印刷対象の用紙に付与されているＩＣタグの用紙情報を読み取って、当該用紙情報と当該印刷要求の内容とに基づいて当該用紙への当該印刷要求による画像を形成するか否かを制御しているので、用紙に対してより一層適切な画像形成を行って、無駄な画像形成を防止することができ、利用性が良好で紙資源を節約することができるとともに、画像品質をより一層向上させることができる。
【発明を実施するための最良の形態】
【００２４】
以下、本発明の好適な実施例を添付図面に基づいて詳細に説明する。なお、以下に述べる実施例は、本発明の好適な実施例であるから、技術的に好ましい種々の限定が付されているが、本発明の範囲は、以下の説明において特に本発明を限定する旨の記載がない限り、これらの態様に限られるものではない。
【実施例１】
【００２５】
図１及び図２は、本発明の画像形成装置の一実施例を示す図であり、図１は、本発明の画像形成装置の一実施例を適用した画像形成装置１のブロック構成図である。
【００２６】
図１において、画像形成装置１は、ＣＰＵ（Central Processing Unit ）２、ＲＯＭ（Read Only Memory）３、操作表示部４、ＩＣタグ情報読取部５、給紙トレイ６、画像形成部７、メモリ８、画像形成可否判定部９、画像形成データ記憶部１０及びインタフェース部１１等を備えており、主要各部は、バス１２に接続されている。
【００２７】
ＲＯＭ３は、画像形成装置１としての基本プログラム及び後述する画像形成制御処理プログラム等の各種プログラムを格納しているとともに、これらの各種プログラムを実行するのに必要な各種データを格納している。
【００２８】
ＣＰＵ２は、ＲＯＭ３内のプログラムに基づいて、メモリ８をワークメモリとして利用しつつ、画像形成装置１の各部を制御して、画像形成装置１としての基本処理を実行するとともに、後述する画像形成制御処理を実行する。
【００２９】
操作表示部４は、画像形成装置１の操作を行うのに必要なスタートキーやテンキー等の各種操作キーを備えるとともに、ディスプレイ（例えば、液晶ディスプレイ）を備え、操作キーからは、画像形成装置１に画像形成動作を行わせるのに必要な各種命令が入力され、ディスプレイには、操作キーから入力された命令内容や画像形成装置１からオペレータに通知する各種情報が表示される。
【００３０】
給紙トレイ６は、各種紙種の複数枚の用紙が収納可能であり、給紙トレイ６は、１つに限るものではなく、複数設けられていてもよい。この給紙トレイ６内に収納される用紙には、ＩＣタグが埋め込み等の方法で付与されており、このＩＣタグには、当該ＩＣタグの付与されている用紙に関する各種情報、例えば、パンチ許可／禁止情報、ステープルの許可／禁止情報、画像形成を許可する画像形成装置特定情報、画像形成装置を許可する画像形成装置の種類情報、両面印刷の許可／禁止情報、カラー印刷許可／禁止情報、用紙色情報、紙種情報、用紙サイズ情報、用紙厚さ情報等が記録されている。
【００３１】
ＩＣタグ情報読取部５は、用紙に付与されているＩＣタグの情報（ＩＣタグ情報：用紙情報）を読み取るものであり、ＩＣタグが書込可能であれば、ＩＣタグ情報読取部５は、このＩＣタグにＩＣタグ情報を書き込む機能を備えていてもよい。ＩＣタグ情報読取部５は、例えば、無線タグリーダ／ライターとアンテナ等を備えており、無線タグリーダ／ライターが、アンテナを介して、印刷する用紙（印刷対象の用紙）に付与されているＩＣタグとの間で情報の送信及び受信を行って、ＩＣタグへのＩＣタグ情報の書き込みを行い、また、ＩＣタグに書き込まれているＩＣタグ情報の読み取りを行う。
【００３２】
画像形成部７は、所定の画像形成方式、例えば、電子写真方式で画像データに基づいて給紙トレイ６から搬送されてくる用紙に画像形成し、図示しない排紙トレイ上に排出する。
【００３３】
インターフェイス部１１には、例えば、ＬＡＮ（Local Area Network）等のネットワークが接続され、画像形成装置１は、インターフェイス部１１を介してネットワークに接続されているパーソナルコンピュータ等のホスト装置から印刷要求とともに画像データを受け取って、当該受け取った印刷要求と画像データを画像形成データ記憶部１０に格納する。
【００３４】
画像形成データ記憶部１０は、ハードディスク等の大容量メモリで構成され、上述のように、主に、画像データを記憶する。
【００３５】
画像形成可否判断部９は、ＩＣタグ情報読取部５の読み取ったＩＣタグ情報と印刷対象の画像データ及び当該画像データの印刷要求の内容に基づいて当該ＩＣタグ情報読取部５が読み取ったＩＣタグの付与されている用紙への当該印刷要求による画像データの画像形成（印刷）の適否を判断して、判断結果をＣＰＵ２に渡す。
【００３６】
ＣＰＵ２は、この画像形成可否判断部９の判断結果に基づいて、画像データの当該ＩＣタグの付与されている用紙への画像形成部７による画像形成の可否を制御する。
【００３７】
次に、本実施例の作用を説明する。本実施例の画像形成装置１は、インターフェイス部１１を介してホスト装置から受信した印刷要求と画像データを一旦画像形成データ記憶部１０に記憶した後、画像形成データ記憶部１０の印刷要求と画像データを読み出して、当該印刷要求に応じた印刷内容で当該画像データを、画像形成部７で給紙トレイ６から画像形成部７に搬送される用紙に画像形成する。
【００３８】
このとき、給紙トレイ６に収納されている用紙には、上記ＩＣタグ情報の記録されているＩＣタグが付与されており、画像形成装置１は、ＣＰＵ２の制御下で、画像形成に際して、この用紙のＩＣタグのＩＣタグ情報（印刷情報）をＩＣタグ情報読取部５が読み取って当該ＩＣタグ情報読取部５の読み取ったＩＣタグ情報と印刷要求の内容に基づいて、当該用紙に対する当該画像データの画像形成の適否を画像形成可否判断部９が判断して、当該画像形成可否判断部９の判断結果に基づいて、ＣＰＵ２が画像形成部７を制御して、当該画像データの当該用紙への画像形成を行わせたり、画像形成を中止させたりする。
【００３９】
すなわち、画像形成装置１は、画像形成データ記憶部１０に格納した画像データの画像形成指示があると（ステップＳ１０１）、ＣＰＵ２は、ＩＣタグ情報読取部５に給紙トレイ６の最上段の用紙（次に画像形成する用紙）に付与されているＩＣタグの用紙情報を読み取らせ（ステップＳ１０２）、当該ＩＣタグ情報読取部５の読み取った用紙情報と当該印刷対象の画像データの印刷要求の内容から画像形成可否判断部９が画像形成の可否を判断する（ステップＳ１０３）。この画像形成の可否の判断においては、具体的には、以下のような項目について、以下のような判断を行う。
【００４０】
すなわち、ＩＣタグの用紙情報としては、上述のように、パンチ処理の許可／禁止情報、ステープル処理の許可／禁止情報、画像形成を許可する画像形成装置特定情報、画像形成装置を許可する画像形成装置の種類情報、両面印刷の許可／禁止情報、カラー印刷の許可／禁止情報、用紙色情報、紙種情報、用紙サイズ情報、用紙厚さ情報等が記録され、この用紙情報の内容と印刷要求の内容及び画像データに基づいて、画像形成可否判断部９は、以下のように、画像形成の可否を判断する。すなわち、画像形成可否判断部９は、ＩＣタグの用紙情報に、後処理としてのパンチ処理を禁止する情報が記録されていて、印刷要求が、当該用紙へのパンチ処理を指定していると、画像形成不可と判断し、また、ＩＣタグの用紙情報に、後処理としてのステープル処理を禁止する情報が記録されていて、印刷要求が当該用紙へのステープル処理を指定していると、画像形成不可と判断する。また、画像形成可否判断部９は、ＩＣタグの用紙情報に、当該用紙への画像の形成を許可する画像処理装置を指定（特定）する情報が記録されていて、画像形成装置１が当該用紙情報によって画像形成が許可されている画像形成装置に該当する場合にのみ画像形成を可と判断し、また、ＩＣタグの用紙情報に、当該用紙への画像の形成を許可するユーザを指定する情報が記録されていて、印刷要求のユーザが当該用紙情報で許可されているユーザであるときにのみ画像形成を否と判断する。さらに、画像形成可否判断部９は、ＩＣタグの用紙情報に、両面印刷を禁止する情報が記録されていて、印刷要求で両面印刷が指定されていると、当該用紙への画像の形成を不可と判断し、ＩＣタグの用紙情報に、カラー印刷を禁止する情報が記録されていて、印刷要求でカラー印刷が指定されていると、当該用紙への画像形成を不可と判断する。また、画像形成可否判断部９は、ＩＣタグの用紙情報に、当該用紙の色が記録されていると、印刷要求でカラー印刷が指定されていて、当該印刷要求の画像データに当該用紙の色と類似する色が含まれていると、当該用紙への画像形成を不可と判断する。そして、ＣＰＵ２は、この画像形成可否判断部９の判断結果に基づいて、当該用紙への画像形成部７による画像形成の中止または実行を制御する。
【００４１】
ステップＳ１０３で、画像形成可否判断部９の画像形成可否判断の判断結果が画像形成可であると、ＣＰＵ２は、画像形成部７に、当該用紙に対して当該画像データに基づいて１枚分の画像形成を行わせ（ステップＳ１０４）、当該画像データの全ての頁の画像形成が完了したかチェックする（ステップＳ１０５）。
【００４２】
ステップＳ１０５で、当該画像データの全ての頁の画像形成が完了していないときには、ＣＰＵ２は、ステップＳ１０２に戻って、次の頁の画像形成を行う給紙トレイ６の用紙に付与されているＩＣタグから用紙情報を読み取る処理から上記同様に処理し（ステップＳ１０２〜Ｓ１０５）、ステップＳ１０５で、当該画像データの全ての頁の画像データの画像形成が完了すると、画像形成制御処理を終了する。
【００４３】
ステップＳ１０３で、画像形成可否判断部９による画像形成可否判断が画像形成不可であると、ＣＰＵ２は、当該用紙への画像形成を中止して、画像形成制御処理を終了する。
【００４４】
このように、本実施例の画像形成装置１は、印刷要求に応じて画像データに基づいて用紙に画像を形成する際に、印刷対象の用紙に付与されているＩＣタグの用紙情報をＩＣタグ情報読取部５で読み取って、当該用紙情報と当該印刷要求の内容とに基づいて画像形成可否判断部９で画像形成の可否を判断し、当該用紙への当該印刷要求による画像を形成するか否かを制御している。
【００４５】
したがって、用紙に対してより一層適切な画像形成を行って、無駄な画像形成を防止することができ、利用性が良好で紙資源を節約することができるとともに、画像品質をより一層向上させることができる。
【００４６】
また、本実施例の画像形成装置１は、ＩＣタグの用紙情報に、後処理としてのパンチ処理を禁止する情報が記録されていると、印刷要求でパンチ処理が指定されている場合には、当該用紙へのパンチ処理を指定する印刷要求による画像の形成を中止している。
【００４７】
したがって、画像形成されパンチが禁止されている用紙に誤ってパンチ処理を行ってしまうことを未然に防止することができ、紙資源の無駄を防止することができるとともに、利用性を向上させることができる。
【００４８】
さらに、本実施例の画像形成装置１は、ＩＣタグの用紙情報に、後処理としてのステープル処理を禁止する情報が記録されていると、印刷要求でステープル処理が指定されている場合には、当該用紙へのステープル処理を指定する印刷要求による画像の形成を中止している。
【００４９】
したがって、画像形成されステープルが禁止されている用紙に誤ってステープル処理を行ってしまうことを未然に防止することができ、紙資源の無駄を防止することができるとともに、利用性を向上させることができる。
【００５０】
また、本実施例の画像形成装置１は、ＩＣタグの用紙情報に、当該用紙への画像の形成を許可する画像処理装置を指定する情報が記録されていると、画像形成装置１が、当該用紙情報が画像形成を許可する画像形成装置に該当する場合にのみ、当該用紙に対して画像を形成している。したがって、セキュリティを向上させることができる。
【００５１】
さらに、本実施例の画像形成装置１は、ＩＣタグの用紙情報に、当該用紙への画像の形成を許可するユーザを指定する情報が記録されていると、当該用紙への画像形成を指示する印刷要求が当該用紙情報で許可されているユーザからの印刷要求である場合にのみ、当該用紙に対して画像を形成している。したがって、セキュリティを向上させることができる。
【００５２】
また、本実施例の画像形成装置１は、ＩＣタグの用紙情報に、両面印刷を禁止する情報が記録されていると、印刷要求で両面印刷が指定されている場合には、当該用紙への両面印刷を指定する印刷要求による画像の形成を中止している。したがって、誤って裏面に印刷してしまう不具合を回避することができる。
【００５３】
さらに、本実施例の画像形成装置１は、ＩＣタグの用紙情報に、カラー印刷を禁止する情報が記録されていると、印刷要求でカラー印刷が指定されている場合には、当該用紙へのカラー印刷を指定する印刷要求による画像の形成を中止している。
【００５４】
したがって、カラー印刷が指定された画像形成データを画像形成しないことで、紙資源の無駄を防止しつつ、画像品質を向上させることができる。
【００５５】
また、本実施例の画像形成装置１は、ＩＣタグの用紙情報に、当該用紙の色が記録されていると、印刷要求でカラー印刷が指定されていて、当該印刷要求の画像データに当該用紙の色と類似する色が含まれていると、当該用紙への当該印刷要求による画像の形成を中止している。
【００５６】
したがって、色紙において画像形成結果が見にくくなることを回避することができ、紙資源の無駄を防止しつつ、画像品質を向上させることができる。
【００５７】
以上、本発明者によってなされた発明を好適な実施例に基づき具体的に説明したが、本発明は上記のものに限定されるものではなく、その要旨を逸脱しない範囲で種々変更可能であることはいうまでもない。
【産業上の利用可能性】
【００５８】
用紙に付与されているＩＣタグの用紙情報と画像形成内容に応じて当該用紙への画像形成を制御して、不適切な用紙への画像形成を禁止することで、画像データに適切な用紙に画像形成する複合装置、ファクシミリ装置、プリンタ等の画像形成装置に適用することができる。
【図面の簡単な説明】
【００５９】
【図１】本発明の画像形成装置の一実施例の画像形成装置を適用した画像形成装置のブロック構成図。
【図２】図１の画像形成装置による画像形成制御処理を示すフローチャート。
【符号の説明】
【００６０】
１  画像形成装置
２  ＣＰＵ
３  ＲＯＭ
４  操作表示部
５  ＩＣタグ情報読取部
６  給紙トレイ
７  画像形成部
８  メモリ
９  画像形成可否判定部
１０  画像形成データ記憶部
１１  インタフェース部
１２  バス
【図１】
2006248056.tif 000003
【図２】
2006248056.tif 000004